(57)【要約】  【課題】  本考案では、ペットを自発的、且つ、継続的に惹きつけるとともに、噛む動作を誘発し、遊びを通じて歯磨き効果やストレス発散効果を得ることができ、しかもペットや環境にとって無害なペット用玩具の提供を目的とする。  【解決手段】  縄片、又は綱片などの紐片部材１２をペットの噛みものとして形成したペット用玩具１１であって、上記紐片部材１２に、生分解性樹脂部材１３，２０，２１，２２を補助的に具備し、適宜、ペットＡが好む、或いは、ペットＡにとって有益な香り成分、旨味成分、又は、食用着色成分から選択する１つ以上の成分を上記生分解性樹脂部材１３，２０，２１，２２に含有、或いは、上記生分解性樹脂部材１３，２０，２１，２２の表面に具備して形成したペット用玩具１１。  【選択図】    図１
0003110001.tif 000002
【実用新案登録請求の範囲】
【請求項１】
縄片、又は綱片などの紐片部材をペットの噛みものとして形成したペット用玩具であって、
上記紐片部材に、生分解性樹脂部材を補助的に具備した
ペット用玩具。
【請求項２】
前記生分解性樹脂部材を、前記紐片部材を挿通可能な環状に形成し、
上記生分解性樹脂部材に上記紐片部材を挿通し、該紐片部材における長さ方向の各端側に、結紐部を形成して、
上記紐片部材を、上記生分解性樹脂部材を保持可能なボーン型に形成したことを特徴とする
請求項１に記載のペット用玩具。
【請求項３】
前記生分解性樹脂部材を、ペットが好む、或いは、ペットにとって有益な香り成分、旨味成分、又は、食用着色成分から選択する少なくとも１つ以上の成分を含有して形成した
請求項１又は請求項２に記載のペット用玩具。
【請求項４】
前記生分解性樹脂部材の表面に、ペットが好む、或いは、ペットにとって有益な香り成分、旨味成分、又は、食用着色成分から選択する少なくとも１つ以上の成分を具備した
請求項１から請求項３のうちいずれか１項に記載のペット用玩具。
【請求項５】
前記生分解性樹脂部材自体に、又は、前記生分解性樹脂部材の表面に、ペットが好む、或いは、ペットにとって有益な消臭成分、旨味成分、又は、食用着色成分から選択する少なくとも１つ以上の成分を具備して形成した
請求項２に記載のペット用玩具。
【考案の詳細な説明】
【技術分野】
【０００１】
この考案は、縄片、又は綱片などの紐片部材をペットの噛みものとして形成したペット用玩具に関する。
【背景技術】
【０００２】
ペット用玩具として様々な玩具が存在するが、例えば、遊びを通じてペットに噛ませることを誘発し、歯磨き効果や、ストレス解消を図りペットの健康を保つことのできるペット用玩具が存在する。
【０００３】
上述したようなペット用玩具としては、例えば、図６に示したような玩具が存在する。上記ペット用玩具は、通常、綿繊維で形成した綱片の両端側を結紐することによりボーン型に形成している。
【０００４】
ちなみに、上記ペット用玩具は、一般に継続してペットの興味を惹き付けることが要求されるとともに、ペットの健康を保つため長期間、ペットに噛まれ続けることができる耐久性も要求される。
【０００５】
ところが、上記ボーン型のペット用玩具は、綱片状に形成しているだけであるため、ペットが遊び続ければ、飽きてしまうとともに、綿繊維で形成しているため、すぐに噛み潰してしまう。このため、上記ボーン型のペット用玩具は、一時的にしか用いることができないという難点があった。
【０００６】
これに対して、下記特許文献に係るペット用玩具に関する文献が開示されている。上記ペット用玩具は、紐、又はロープを所定の巻き方により結んでボール型に形成している。
【０００７】
上記ボール型のペット用玩具は、上記ボーン型のペット用玩具と異なり、転がり易いという点で確かに、ペットの興味をある程度、惹き付けることができる。
【０００８】
しかし、上記ボール型のペット用玩具であってもペットは、暫くすると飽きてしまうといわざるを得ない。  
これは、ペットにボールを与えた場合において、ペットが継続的にボールを転がして遊び続けることは稀であり、むしろ、飼主がペットに対して積極的にボールを投げたり転がしたりしてペットの興味を誘発する必要があることからも明白である。
【０００９】
このため、上記ボール型のペット用玩具は、ペットの健康を保持するため、常に飼主がペットと一緒に遊ばなければならず、有用性に欠けるという問題点を有する。  
つまり、上記特許文献に係るペット用玩具は、ペットを自発的、且つ、積極的に引き寄せ続けるとう点で不充分であるといわざるを得ない。
【００１０】
【特許文献１】特許第３５３５０５５号公報
【考案の開示】
【考案が解決しようとする課題】
【００１１】
そこで本考案では、ペットを自発的、且つ、継続的に惹きつけるとともに、噛む動作を誘発し、遊びを通じて歯磨き効果やストレス発散効果を得ることができ、しかもペットや環境にとって無害なペット用玩具の提供を目的とする。
【課題を解決するための手段】
【００１２】
本考案のペット用玩具は、縄片、又は綱片などの紐片部材をペットの噛みものとして形成したペット用玩具であって、上記紐片部材に、生分解性樹脂部材を補助的に具備したことを特徴とする。
【００１３】
ここで、本考案における生分解性樹脂部材は、例えば、該生分解性樹脂部材を形成する主原料として、とうもろこし、芋など様々な天然素材から抽出されるでんぷん、或いは、その他の天然素材を用いて形成することができる。
【００１４】
また、本考案のペット用玩具は、上記生分解性樹脂部材を、上記紐片部材を挿通可能な環状に形成し、上記生分解性樹脂部材に上記紐片部材を挿通し、該紐片部材における長さ方向の各端側に、結紐部を形成して、上記紐片部材を、上記生分解性樹脂部材を保持可能なボーン型に形成することを含む。
【００１５】
また、本考案のペット用玩具は、上記生分解性樹脂部材を、ペットが好む、或いは、ペットにとって有益な香り成分、旨味成分、又は、食用着色成分から選択する少なくとも１つ以上の成分を含有して形成することを含む。
【００１６】
さらに、上記生分解性樹脂部材の表面に、ペットが好む、或いは、ペットにとって有益な香り成分、旨味成分、又は、食用着色成分から選択する少なくとも１つ以上の成分を具備することもできる。
【００１７】
また、上記生分解性樹脂部材自体に、又は、上記生分解性樹脂部材の表面に、ペットが好む、或いは、ペットにとって有益な消臭成分、旨味成分、又は、食用着色成分から選択する少なくとも１つ以上の成分を具備して形成してもよい。
【考案の効果】
【００１８】
請求項１に記載の考案によれば、通常、綿などの素材により形成された紐片部材と比較して、ペットに噛まれても破損し難い生分解性樹脂部材を、上記紐片部材に具備することによって、該紐片部材が集中的に噛まれることを防止することができる。  
よって、ペット用玩具全体としての耐久性を向上させることができる。
【００１９】
しかも、紐片部材と生分解性樹脂部材とは、互いに異なる肌触り、硬さの材質であり、ペット用玩具は、このような部材を組み合わせて一体に形成している。  
このようなペット用玩具に対して、ペットが噛む動作を行えば、例えば、生分解性樹脂部材の存在によって、歯の研磨作用を向上させるとともに、紐片部材の存在によって、歯に付着した歯垢を除去させるといった各部材の特性を活かすことができるため、歯磨き効果をさらに向上させることができる。
【００２０】
しかも、このように異なる材質を有する部材を組み合わせて形成することにより、ペットにとっても、さらに噛みごたえが向上するため、噛む動作を飽き難くする効果も有する。
【００２１】
また、生分解性樹脂部材は、とうもろこしなどのでんぷんを主原料として形成しているため、ペットにとって無害である。
【００２２】
このため、ペットがペット用玩具を噛んでいる最中に、たとえ、生分解性樹脂部材が欠けてしまい、その欠片がペットの体内に入った場合であっても、ペットの安全を確保できる。
【００２３】
しかも、ペットから排泄された上記欠片は、微生物によって分解されるため、環境に悪影響を及ぼすこともない。
【００２４】
また、請求項２に記載の考案によれば、直ぐにペットに噛み潰されていた従来のボーン型紐片部材と比較しても格段に長持ちさせることができるなど、上述した様々な効果を奏することができる。
【００２５】
特に、請求項２に係るペット用玩具は、環状に形成した生分解性樹脂部材を、紐片部材における結紐部間において、スライド自在に係合保持した形態である。  
このため、上記ペット用玩具を用いてペットが遊ぶことによって、生分解性樹脂部材が紐片部材に対して相対移動が自在となり、さらにペットの興味を惹き付けることができるという効果も奏する。
【００２６】
請求項３、又は、請求項４に係る考案によれば、ペット用玩具は、ペットが好む、或いは、ペットにとって有益な上記各種成分を含有して形成することにより、ペットをさらに積極的に惹き付けることができるとともに、噛む動作も誘発し、しかも、飽き難くすることもできる。
【００２７】
結果的に、歯磨き効果を向上させることができ、しかも、ペット用玩具を噛み続けても、ペットにとって無害である。
【００２８】
特に、請求項３に係る考案によれば、上記各種成分を含有して生分解性樹脂部材を形成することにより、生分解性樹脂部材から呈する旨味や香りなどが時間の経過とともに劣化することがなく、半永久的に維持できる。
【００２９】
また、特に、請求項４に係る考案によれば、上記生分解性樹脂部材の表面に例えば、旨味成分、香り成分などを塗付する、或いは、肉片などの食材を適宜、取り付けるなどが可能となる。  
これにより、例えば、生分解性樹脂部材の表面に取り付ける食材や、塗付する成分を変更することで様々な旨味、香りなどを有するペット用玩具を形成することができる。
【００３０】
このため、定期的に生分解性樹脂部材に具備する成分を変更することにより、ペットは飽きずに遊ぶことができ、しかも、各ペットに応じた好みの旨味、香りを醸し出すこともできる。
【００３１】
請求項５に係る考案によれば、ペットが繰り返し使用しても、ペット用玩具は、ペットの口臭などにより臭くならず、ペット用玩具を衛生的に保つことができる。
【考案を実施するための最良の形態】
【００３２】
この考案の一実施形態を、以下図面を用いて説明する。  
図１は、ペットＡ（犬）が本実施形態に係るペット用玩具１１を噛みながら遊んでいる様子を示す。
【００３３】
上記ペット用玩具１１は、図２に示したような形態で形成している。具体的には、綿繊維からなるボーン型縄片部材１２と、後述する生分解性樹脂部材１３とを一体にして形成している。
【００３４】
上記ボーン型縄片部材１２は、従来から存在する図６に示したようなペット用玩具３０と略同一形態で形成している。具体的には、綿繊維を糸状に紡績した多数の糸を複数本ごとに撚る工程を繰り返して３本の紐片１４ａを形成し、該３本の紐片１４ａをさらに撚っていき、最終的に大人の親指程度の太さを有する縄片部材１４を形成している（図４（ａ）参照）。
【００３５】
上記ボーン型縄片部材１２は、上記縄片部材１４の長さ方向における両端側を「ひと結び」と称する結び方により結紐し、該縄片部材１４における両端側に結び目１５を形成している。これにより、縄片部材１４の長さ方向における両端側の結び目１５の間は、大人の握り拳程度の幅を有した縄状をした縄部１６を形成している。
【００３６】
ちなみに、上記縄部１６は、該縄部１６の両側に有する上記結び目１５によって、解れることなくその形態を維持している。そして、上記ボーン型縄片部材１２の長さ方向における上記結び目１５よりも、さらに両端側部位は、縄状に撚った複数の糸や紐が解れた状態で、柔軟に形成している。
【００３７】
次に、上記生分解性樹脂部材１３について説明する。  
上記生分解性樹脂部材１３については、とうもろこしから抽出されるでんぷんを主原料とする生分解性プラスチック材料を射出成形（インジェクション  モールド）によって図３（ａ）に示したように円環状に形成している。
【００３８】
上記円環状をした生分解性樹脂部材１３には、上記結び目１５を形成していない縄状の上記縄片部材１４を挿通可能な挿通孔１３ａを形成している。
【００３９】
また、生分解性樹脂部材１３は、上記生分解性プラスチック材料を射出成形する前工程において、上記生分解性樹脂部材１３の原料となる上記生分解性プラスチック材料に、鶏肉から抽出した鶏肉の風味（旨味、及び、香り）を呈するチキンパウダー１７を混合している。
【００４０】
さらに、生分解性樹脂部材１３は、上記生分解性プラスチック材料を射出成形する前工程において、天然素材から抽出した食用着色剤１８を添付してペットＡが好む鶏肉の色と類似するピンク色に着色して形成している。
【００４１】
上述した生分解性樹脂部材１３は、該生分解性樹脂部材１３における上記挿通孔１３ａに、縄部１６を挿通した状態でボーン型縄片部材１２に対して係合保持されている。  
ここで、ボーン型縄片部材１２の長さ方向における両端側に有する上記結び目１５は、図４（ａ），（ｂ）に示したように、上記生分解性樹脂部材１３における挿通孔１３ａの挿通孔１３ａ（内径）よりも大径に形成しているため、縄部１６に係合した生分解性樹脂部材１３がボーン型縄片部材１２に対して抜けないようストッパの役割を果たす。
【００４２】
このため、上記生分解性樹脂部材１３は、上記縄部１６の軸方向に対してスライド自在に該縄部１６に係合している。
【００４３】
本実施形態におけるペット用玩具１１は、上述したように形成するものとし、以下、上記ペット用玩具１１が奏する作用、効果について説明する。
【００４４】
例えば、ペットＡの飼主がペット用玩具１１をペットＡの近傍に置いた場合、ペット用玩具１１は、生分解性樹脂部材１３からチキンの香り成分を発する。この香り成分により、ペットＡは、暫くするとペット用玩具１１に惹き付けられる。
【００４５】
そして、惹きつけられたペットＡは、本能的にペット用玩具１１を噛む動作を行う。ここで、ペット用玩具１１における生分解性樹脂部材１３から旨味成分が発せられる。この旨味成分、及び、香り成分に誘発され、ペットＡは、生分解性樹脂部材１３を重点的にペット用玩具１１を噛みつづける動作を継続する（上記図１参照）。  
しかも、ペットＡは、上記生分解性樹脂部材１３とは異なる噛み応えを有するボーン型縄片部材１２を噛む感触も得ることができるため、ペット用玩具１１を噛み続けても飽きることがない。
【００４６】
また、生分解性樹脂部材１３は、とうもろこしから抽出したでんぷんという天然素材を主原料に形成しているため、たとえ、上記生分解性樹脂部材１３を噛むことにより、該生分解性樹脂部材１３の一部が欠けてしまっても、該破片は、ペットＡや環境にとって無害であり、例えば、発ガン性の原因となることや環境ホルモンなどの影響になることもない。
【００４７】
また、ペット用玩具１１は、直接、ペットＡに噛まれないよう縄部１６を中心にボーン型縄片部材１２を、生分解性樹脂部材１３によって、保護した形態であるため、図６に示した従来のボーン型縄片部材のみで形成したペット用玩具３０と比較して耐久性を向上させることができる。
【００４８】
具体的に、ペット用玩具１１を例えば、ヘチマなどの天然素材をそのまま用いて形成した場合を想定すると、このようなペット用玩具１１は、確かに、ペットＡにとって無害であるが、ペットＡが噛む動作を繰り返せば、天然素材であるため、繊維が破損して使用不可能になってしまう。これに対して、本実施形態におけるペット用玩具１１は、天然素材を加工して形成した生分解性樹脂部材１３を用いることで強度を確保することができるとともに、耐久性も確保することができる。
【００４９】
また、ヘチマなどの天然素材をそのまま用いて形成した場合は、該天然素材における繊維に存在する多数の微細孔に砂などが入り込んでしまうため、水洗いに労力を要する。これに対して、本実施形態におけるペット用玩具１１は、たとえ、生分解性樹脂部材１３に砂などが付着しても、水洗いするだけで、砂など容易に除去することができるため、衛生的である。勿論、何度、水洗いしても、含有したチキンパウダー１７の風味が劣化することもない。
【００５０】
この考案は、上述の実施形態の構成のみに限定されるものではなく、多くの実施の形態を得ることができる。  
例えば、上記生分解性樹脂部材１３を形成する主原料としては、上記とうもろこしから抽出したでんぷんに限定せず、芋など様々な天然素材から抽出されるでんぷん、或いは、その他の天然素材を用いることができる。
【００５１】
また、上記生分解性樹脂部材１３に含有する成分は、上述した旨味成分、香り成分、着色成分に限定しない。
【００５２】
例えば、例えば、旨味成分としては、上述したチキンパウダー１７に限定せず、牛肉、豚肉などの肉類、及び／又は魚類などの肉骨、にんじんなどの野菜、果物、穀物、さらには、ミルクやチーズなどの乳製品から抽出した各種成分、或いは、これら２種類以上の成分を混合した成分などを含む。
【００５３】
なお、例えば、旨味成分として、砂糖などの糖分を含むものは、虫歯予防の観点から過度に含有することは好ましくないが、含有する分量を調節するなどすれば、適宜、用いることもできる。
【００５４】
また、香り成分としては、旨味成分として用いた上記肉類、魚類などの天然素材から抽出した香り成分の他にも、ミントなどの香り成分を用いることができる。
【００５５】
逆に、上記生分解性樹脂部材１３は、上記香り成分の代わりにカテキンなどの消臭成分を含有してもよい。
【００５６】
また、食用着色成分としても、特に限定しないが、例えば、クロロフィル系色素などの植物や動物などの生物から抽出した食用として用いられる安全な色素が好ましい。  
上記クロロフィル系色素は、鮮やかな色を呈し、退色し難くいという特徴も有するため、特に、好ましい。
【００５７】
上記生分解性樹脂部材１３に含有する成分として、上述した各種成分の他に、或いは、上述した各種成分とともに酸化防止剤、又は／及び、光安定化剤などを含有してもよい。
【００５８】
上記酸化防止剤としては、例えば、イオウ化酸化防剤、リン系酸化防止剤などが挙げられるが、ルチンなど、やはり天然のものが好ましい。  
上記酸化防止剤を含有すれば、上記長期間使用しても、酸化して劣化することを防止することができる。
【００５９】
また、上記光安定化剤としては、例えば、ベンゾフェノン系などの紫外線吸収剤が挙げられる。  
上記酸化防止剤を含有すれば、上記長期間使用して変色してしまうことを防止することができる。
【００６０】
また、上記生分解性樹脂部材２０は、顆粒状、或いは液状などをした上記各種成分をでんぷんに練り込んで形成するに限らず、例えば、上記生分解性樹脂部材２０の表面に上記各種成分を具備してもよい。
【００６１】
具体的には、図３（ｂ）に示したように、上記生分解性樹脂部材２０の表面に上述した香り成分などを含んだ油性香料１９を塗付して形成することができる。
【００６２】
ここで、上記油性香料１９としては、水分を弾く性質を有すとともに、生物や環境にとって無害なものを用いるとよい。
【００６３】
上記形態を採れば、油性の香料であるため、たとえ、水洗いしたりしても香料が生分解性樹脂部材２０の表面から落ちてしまうことがない。
【００６４】
その他にも、上記生分解性樹脂部材１３，２０は、例えば、図５（ａ）に示したように、生分解性樹脂部材２１の表面に肉片などの食材Cを嵌め込み可能な嵌め込み部２１ｂを具備した形態で形成してもよい。  
すなわち、円環状の生分解性樹脂部材２１における側面に複数の凹状の嵌め込み部２１ｂを形成している。
【００６５】
これにより、上記生分解性樹脂部材２１に肉片などの任意の食材Cを直接、取り付けて用いることができ、ペットＡが遊んだ後は、水洗いして異なる食材を嵌め込み部２１ｂに取り付けて繰り返し用いることもできる。すなわち、長期間使用してもペットＡが飽きることがない。
【００６６】
また、生分解性樹脂部材２２は、ボーン型縄片部材１２に対して着脱可能に形成してもよい。すなわち、生分解性樹脂部材２２における外周側面における所定の一部位に、ボーン型縄片部材１２が着脱可能なスリット部２２ｂを形成している。
【００６７】
これにより、スリット部２２ｂを通じて生分解性樹脂部材２２とボーン型縄片部材１２における縄部１６とを互いに分離させることができる。すなわち、例えば、ボーン型縄片部材１２のみを交換する、或いは、異なる旨味成分、香り成分などを含有した生分解性樹脂部材に交換して用いることもできる。
【００６８】
上述の実施形態と、この考案の構成との対応において、この実施形態のボーン型縄片部材１２は、この考案の紐片部材に対応し、
以下同様に、
結び目１５は、結紐部に対応し、
チキンパウダー１７は、香り成分、及び、旨味成分に対応し、
食用着色剤１８は、食用着色成分に対応するも、
この考案は、上述の実施形態の構成のみに限定されるものではなく、多くの実施の形態を得ることができる。
【図面の簡単な説明】
【００６９】
【図１】本実施形態のペット用玩具を用いてペットが遊ぶ状態を示す外観図。
【図２】本実施形態のペット用玩具を示す外観図。
【図３】本実施形態のペット用玩具における生分解性樹脂を示す外観図。
【図４】図４（ｂ）におけるＡ−Ａ断面図（ａ）、本実施形態のペット用玩具における生分解性樹脂部材の係合状態を示す説明図（ｂ）。
【図５】他の形態と採る生分解性樹脂部材を示す外観図。
【図６】従来のペット用玩具を示す外観図。
【符号の説明】
【００７０】
１１…ペット用玩具
１２…ボーン型縄片部材
１３，２０，２１，２２…生分解性樹脂部材
１４…縄片部材
１５…結び目
１６…縄部
１７…チキンパウダー
１８…食用着色剤
【図１】
0003110001.tif 000003
【図２】
0003110001.tif 000004
【図３】
0003110001.tif 000005
【図４】
0003110001.tif 000006
【図５】
0003110001.tif 000007
【図６】
0003110001.tif 000008